(57)【要約】【課題】新生児や、首、腰の座らない時期の乳児を寝かしたいわゆる横抱き状態、前面縦抱き状態、および、背面縦抱きの状態で保持することができる構造を有する子守帯を提供する。【解決手段】使用者装着部材５００の肩ベルトに設けられたメス型バックル６１６に、ベルト部材７０７のオス型バックル７０９を連結させる。このとき、第２支持ループ７４４にベルト部材７０７を通過させる。反対側も同様の連結状態とする。使用者装着部材５００の腰ベルト６０１の先端部に設けられたオス型バックル６１２に赤ちゃん保持部材７００の腹部保持部材に設けられた腹部ベルト７２６のメス型バックル７２７を連結させる。反対側も同様の連結状態とする。【選択図】        図２
2004236736.tif 000002
【特許請求の範囲】
【請求項１】
使用者が赤ちゃんを抱っこするために用いる子守帯であって、
使用者に装着される使用者装着部材と、
前記使用者装着部材に対して着脱可能に設けられ、前記使用者装着部材とともに赤ちゃんを保持するための赤ちゃん保持部材と、を備え、
前記使用者装着部材は、使用者の腰部領域に配置され、一端に第１連結部材（６１２）が設けられ、他端に前記第１連結部材に対して着脱可能な第２連結部材（６１３）が設けられる腰ベルト（６０１）を有し、
前記赤ちゃん保持部材は、赤ちゃんの腹部領域に配置され、一端に前記第１連結部材（６１２）に対して着脱可能な第３連結部材（７２７）が設けられ、他端に前記第２連結部材（６１３）に対して着脱可能な第４連結部材（７２８）が設けられる腹部ベルト（７２６）を有する、子守帯。
【請求項２】
前記腰ベルト（６０１）は、使用者の背面側の腰部領域に、前記第３連結部材（７２７）に対して着脱可能な第５連結部材（６５１）と、前記第４連結部材（７２８）に対して着脱可能な第６連結部材（６５２）とをさらに有する、請求項１に記載の子守帯。
【請求項３】
前記使用者装着部材は、使用者の肩部に配置される第１肩ベルト（６０２）および第２肩ベルト（６０３）を備え、
前記第１肩ベルト（６０２）には、第７連結部材（６１６）が設けられ、前記第２肩ベルト（６０３）には、第８連結部材（６１７）が設けられ、
前記赤ちゃん保持部材は、一端に前記第７連結部材（６１６）に対して着脱可能に設けられる第９連結部材（７０９）を有する第１連結ベルト（７０７）、前記第１連結ベルト（７０７）を通過させ支持し、赤ちゃんの側部に位置する第１支持ループ（７４４）、一端に前記第８連結部材（６１７）に対して着脱可能に設けられる第９連結部材（７０８）を有する第２連結ベルト（７０６）、および、前記第２連結ベルト（７０６）を通過させ支持、赤ちゃんの側部に位置する第２支持ループ（７４３）備える、請求項１または２に記載の子守帯。
【請求項４】
前記第１肩ベルト（６０２）は、前記第１連結ベルト（７０７）または前記第２連結ベルト（７０６）を通過させるための第１ループ領域（５０７ａ）を含み、前記第２肩ベルト（６０３）は、前記第１連結ベルト（７０７）または前記第２連結ベルト（７０６）を通過させるための第２ループ領域（５０８ａ）を含む、請求項３に記載の子守帯。
【発明の詳細な説明】
【０００１】
【発明の属する技術分野】
この発明は、育児に用いられる子守帯の構造に関する。
【０００２】
【従来の技術】
従来の子守帯において、赤ちゃんを前面側と背面側とに乗せ変え可能な構造を有するものとして、下記特許文献１に開示される子守帯を挙げることができる。この子守帯は、使用者に装着され、ベルト部材からなる支持手段に幼児収容体を着脱可能に取付けることを特徴としている。
【０００３】
【特許文献１】
特開平９−１２１９８７号公報
【０００４】
【発明が解決しようとする課題】
しかし、上記子守帯の構造においては、使用者に装着される支持手段が、ベルト部材のみからなるために、幼児収容体に収容される赤ちゃんの体重が局所的に加わることになり、使用者への負担が大きい問題が挙げられる。
【０００５】
また、幼児の頭部領域が保護されていないため、特に使用者の背面側で赤ちゃんを保持する場合には、赤ちゃんの頭部の保護が十分でない問題が挙げられる。
【０００６】
また、赤ちゃんを前面側と背面側とに乗せ変える場合のいずれにおいても、赤ちゃんを縦抱きの状態で保持することを前提としており、新生児や、首、腰の座らない時期の乳児を寝かした状態で保持することができない。
【０００７】
したがって、この発明の目的は、赤ちゃんの頭部の保護を十分に行なうことのできる構造を有する子守帯を提供することにある。
【０００８】
また、他の目的として、赤ちゃんの発育段階、生理特性を満足し、かつ、生活スタイルに応じてその形態を変化させることが可能な子守帯を提供することにある。
【０００９】
また、他の目的として、赤ちゃんの保持の安全性および快適性を損なうことなく、使用者に対する装着性能の向上を図ることを可能とする子守帯を提供することにある。
【００１０】
また、他の目的として、前面荷重、背面荷重において、バランス良く荷重を受けることにより、使用者への負担の軽減を図る構造を有する子守帯を提供することにある。
【００１１】
さらに、他の目的として、子守帯の機能を、カジュアルな上着に含ませることにより、ファッション性を高めた子守帯を提供することにある。
【００１２】
【課題を解決するための手段】
この発明に基いた子守帯においては、使用者が赤ちゃんを抱っこするために用いる子守帯であって、使用者に装着される使用者装着部材と、上記使用者装着部材に対して着脱可能に設けられ、上記使用者装着部材とともに赤ちゃんを保持するための赤ちゃん保持部材とを備え、さらに以下の構成を備えることを特徴とする。
【００１３】
上記使用者装着部材は、使用者の腰部領域に配置され、一端に第１連結部材（６１２）が設けられ、他端に上記第１連結部材に対して着脱可能な第２連結部材（６１３）が設けられる腰ベルト（６０１）を有し、上記赤ちゃん保持部材は、赤ちゃんの腹部領域に配置され、一端に上記第１連結部材（６１２）に対して着脱可能な第３連結部材（７２７）が設けられ、他端に上記第２連結部材（６１３）に対して着脱可能な第４連結部材（７２８）が設けられる腹部ベルト（７２６）を有する。
【００１４】
この構成により、使用者装着部材に赤ちゃん保持部材を連結させた場合、使用者の腹部領域には腰ベルトが位置せずに、赤ちゃん保持部材の腹部ベルトが位置することになる。これにより、使用者と赤ちゃんとの距離が近くなり、使用者と赤ちゃんとの密着感を高めることが可能になる。その結果、赤ちゃんは、より近くに使用者を感じることができ、赤ちゃんの発育段階、生理特性を満足させることが可能になる。
【００１５】
また、より使用者の近くで赤ちゃんを保持できることから、前面荷重、背面荷重において、バランス良く赤ちゃんの荷重を受けることにより、使用者への負担の軽減を図りながら、赤ちゃんの保持の安全性および快適性を損なうことなく、使用者に対する装着性能の向上を図ることを可能としている。
【００１６】
さらに、使用者装着部材の腰ベルトの構造の簡略化が図られ、ファッション性を高めた子守帯を提供することを可能とする。
【００１７】
また、上記発明において好ましくは、上記腰ベルト（６０１）は、使用者の背面側の腰部領域に、上記第３連結部材（７２７）に対して着脱可能な第５連結部材（６５１）と、上記第４連結部材（７２８）に対して着脱可能な第６連結部材（６５２）とをさらに有する。
【００１８】
この構成により、赤ちゃんを背中においておんぶする場合においても、バランス良く赤ちゃんの荷重を受けることができ、使用者への負担の軽減を図りながら、赤ちゃんの保持の安全性および快適性を損なうことなく、使用者に対する装着性能の向上を図ることを可能としている。
【００１９】
また、上記発明において好ましくは、上記使用者装着部材は、使用者の肩部に配置される第１肩ベルト（６０２）および第２肩ベルト（６０３）を備え、上記第１肩ベルト（６０２）には、第７連結部材（６１６）が設けられ、上記第２肩ベルト（６０３）には、第８連結部材（６１７）が設けられ、上記赤ちゃん保持部材は、一端に上記第７連結部材（６１６）に対して着脱可能に設けられる第９連結部材（７０９）を有する第１連結ベルト（７０７）、上記第１連結ベルト（７０７）を通過させ支持し、赤ちゃんの側部に位置する第１支持ループ（７４４）、一端に上記第８連結部材（６１７）に対して着脱可能に設けられる第９連結部材（７０８）を有する第２連結ベルト（７０６）、および、上記第２連結ベルト（７０６）を通過させ支持し、赤ちゃんの側部に位置する第２支持ループ（７４３）備える。
【００２０】
この構成により、赤ちゃんの側部に、第１連結ベルトにより支持される第１支持ループと第１連結ベルトにより支持される第２支持ループが配置されることになるため、赤ちゃんの側部において第１支持ループおよび第２支持ループによる壁が形成され、赤ちゃんの側部を確実に保護することが可能になる。その結果、頭部の振れを防止し、赤ちゃんの頭部の保護を十分に行なうことのできる構造を有する子守帯を提供することが可能になる。
【００２１】
また、上記発明において好ましくは、上記第１肩ベルト（６０２）は、上記第１連結ベルト（７０７）または上記第２連結ベルト（７０６）を通過させるための第１ループ領域（５０７ａ）を含み、上記第２肩ベルト（６０３）は、上記第１連結ベルト（７０７）または上記第２連結ベルト（７０６）を通過させるための第２ループ領域（５０８ａ）を含む。
【００２２】
この構成により、赤ちゃんを背中においておんぶする場合においても、バランス良く赤ちゃんの荷重を受けることができ、使用者への負担の軽減を図りながら、赤ちゃんの保持の安全性および快適性を損なうことなく、使用者に対する装着性能の向上を図ることを可能としている。
【００２３】
【発明の実施の形態】
以下、この発明に基づいた実施の形態における子守帯１Ｂについて、図を参照しながら説明する。
【００２４】
（子守帯１Ｂの特徴的構成）
まず、本実施の形態における子守帯１Ｂの特徴的構成としては、図１に示すように、赤ちゃん保持部材７００とリュック形式の使用者装着部材５００とを備え、使用者であるお母さん１０００の前面において、赤ちゃん２０００を横抱きすることができる状態と、図２に示すように、お母さん１０００の前面において、赤ちゃん２０００を縦抱きすることができる状態（対面状態）と、図３に示すように、お母さん１０００の前面において、赤ちゃん保持部材７００の上半身領域を取外し、赤ちゃん２０００を前向きの縦抱きにすることができる状態と、図４に示すように、お母さん１０００の背面において、赤ちゃん２０００を縦抱きすることができる状態（赤ちゃん２０００は前向き）と、図５に示すように、お母さん１０００の背面において、赤ちゃん保持部材７００の上半身領域を取外し、赤ちゃん２０００を後向きの縦抱きにすることができる状態と、が選択可能に設けられていることを特徴としている。
【００２５】
ここで、図１に示す状態においては、赤ちゃん保持部材７００と使用者装着部材５００との間には、お母さん１０００の前面において、赤ちゃん保持部材７００により、赤ちゃん２０００を寝かせた状態で抱っこするための横抱き状態を可能にするための第１連結手段が設けられており、図２および図３に示す状態においては、お母さん１０００の前面において、赤ちゃん保持部材７００により、赤ちゃん２０００を起こした状態で抱っこするための前面縦抱き状態を可能にするための第２連結手段が設けられており、図４および図５に示す状態においては、お母さん１０００の背面おいて、赤ちゃん保持部材７００により、赤ちゃん２０００を起こした状態で抱っこするための背面縦抱き状態を可能にするための第３連結手段が設けられている。
【００２６】
以下、図を参照しながら、使用者装着部材５００および赤ちゃん保持部材７００の構造について説明する。
【００２７】
（使用者装着部材５００の構造）
図６から図９を参照して、使用者装着部材５００の構造について説明する。なお、図６は、使用者装着部材５００を開いた状態での正面図であり、図７は、使用者装着部材５００を開いた状態での背面図であり、図８は、使用者装着部材５００を閉じた状態での正面図であり、図９は、ベルト部材のみを現したベルト展開図である。
【００２８】
まず、図６から図９を参照して、この使用者装着部材５００は、使用者であるお母さん１０００に装着されることを目的としており、使用者用背中部材５０１と、この使用者用背中部材５０１の上端部から上方に延びるように設けられる第１肩ベルト部材５０５と、第２肩ベルト部材５０６とを備える。さらに、本実施の形態においては、使用者装着部材５００の下端部領域に、お母さん１０００の腰に装着される腰ベルト部材５０３，５０４が設けられている。
【００２９】
使用者用背中部材５０１は通気性の向上を考慮して、主にメッシュ部材から構成され、第１肩ベルト部材５０５、第２肩ベルト部材５０６、および腰ベルト部材５０３，５０４は、使用者への荷重負担を軽減させる目的から、主にパッド部材から構成されている。
【００３０】
これらの第１肩ベルト部材５０５、第２肩ベルト部材５０６、および腰ベルト部材５０３，５０４には、赤ちゃんの荷重を担保するため、図９に示すベルト部材６００が縫製により縫い付けられている。
【００３１】
このベルト部材６００は、図９に示すように、腰ベルト６０１と、この腰ベルト６０１に領域Ｙ１において強固に連結され、上方に延びるように設けられる第１肩ベルト６０２と、腰ベルト６０１に領域Ｙ２において強固に連結され、上方に延びるように設けられる第２肩ベルト６０３と、腰ベルト６０１に領域Ｙ３において強固に連結され、上方に延びるように設けられる第１延長ベルト６０５と、腰ベルト６０１に領域Ｙ４において強固に連結され、上方に延びるように設けられる第２延長ベルト６０６とを有している。また、第１肩ベルト６０２と第２肩ベルト６０３とは、それぞれ領域Ｙ５，Ｙ６においてそれぞれ固定される連結ベルト６０４により連結されている。各ベルトの連結は、縫製により行なわれるが、強度上問題が無ければ他の連結構造を採用することも可能である。
【００３２】
第１肩ベルト６０２には、メス型バックル６１６、リングバックル６１８が所定位置に取付けられ、先端部分には、ベルトの長さを調節するための調節バックル６２０が取付けられている。同様に、第２肩ベルト６０３には、メス型バックル６１７、リングバックル６１９が所定位置に取付けられ、先端部分には、ベルトの長さを調節するための調節バックル６２１が取付けられている。
【００３３】
腰ベルト６０１の第１延長ベルト６０５側の一端には、オス型バックル６１２が設けられ、領域Ｙ３とこのオス型バックル６１２との間には、腰ベルト６０１の一端側の長さを調節するための調節バックル６１４が取付けられている。また、領域Ｙ３と領域Ｙ１との間の腰ベルト６０１には、内側を向くようにメス型バックル６５２が取付けられている。
【００３４】
また、腰ベルト６０１の第２延長ベルト６０６側の他端には、メス型バックル６１３が設けられ、領域Ｙ４とこのメス型バックル６１３との間には、腰ベルト６０１の他端側の長さを調節するための調節バックル６１５が取付けられている。また、領域Ｙ２と領域Ｙ４との間の腰ベルト６０１には、内側を向くようにオス型バックル６５１が取付けられている。
【００３５】
第１肩ベルト部材５０５、第２肩ベルト部材５０６、および腰ベルト部材５０３，５０４と、ベルト部材６００とは、適宜縫製により結合されるが、特に、腰ベルト部材５０３，５０４の領域Ｘ２，Ｘ３，Ｘ４、使用者用背中部材５０１の領域Ｘ１、および第１肩ベルト部材５０５、第２肩ベルト部材５０６の領域Ｘ５，Ｘ６においては、両者は強固に連結されている。
【００３６】
また、図１に示すように、第１肩ベルト部材５０５の頂部領域には、第１ループ領域５０７ａを形成するように帯状部材５０７が取付けられ、第２肩ベルト部材５０６の頂部領域においても、第２ループ領域５０８ａを形成するように帯状部材５０８が取付けられている。また、第１肩ベルト部材５０５の前部側においては、使用者への荷重負担を分散させるために、内側に向かう凸部パッド領域５０５ａが設けられ、同様に、第２肩ベルト部材５０６の前部側においても、内側に向かう凸部パッド領域５０６ａが設けられている。
【００３７】
図７に示すように、腰ベルト６０１に設けられた、オス型バックル６５１およびメス型バックル６５２は、露出するように設けられているが、必要に応じて、使用者用背中部材５０１の下端部に収容領域を設けるようにして、使用時にのみオス型バックル６５１およびメス型バックル６５２を取り出す構造とすることも可能である。
【００３８】
図８に示すように、第１延長ベルト６０５は、第１肩ベルト部材５０５側に設けられた調節バックル６２０に連結されることにより、右肩部ループを構成するとともに、右肩部ループの長さが調節される。同様に、第２延長ベルト６０６は、第２肩ベルト部材５０６側に設けられた調節バックル６２１に連結されることにより、左肩部ループを構成するとともに、左肩部ループの長さが調節される。また、腰ベルト６０１の両先端部に設けられたオス型バックル６１２とメス型バックル６１３とを連結することにより、腰部ループを構成する。
【００３９】
（赤ちゃん保持部材７００の構造）
次に、図１０から図１２を参照して、赤ちゃん保持部材７００の構造について説明する。なお、図１０は、赤ちゃん保持部材７００を内面側から見た平面図であり、図１１は、赤ちゃん保持部材７００を外面側から見た背面図であり、図１２は、図１０中ＸＩＩ−ＸＩＩ線矢視にしたがった第１断面図であり、図１３は、図１０中ＸＩＩ−ＸＩＩ線矢視にしたがった第２断面図である。
【００４０】
本実施の形態における赤ちゃん保持部材７００は、背面保持部材７０１、股間部保持部材７２０、腹部保持部材７２５、および背中部保持部材７４０を備え、全体として縦長の帯状の形態を呈している。
【００４１】
図１０を参照して、背面保持部材７０１の両側には、側部保持部材７０２，７０３が設けられている。側部保持部材７０２，７０３のそれぞれの上端部分には、延長部７０４，７０５が設けられ、この延長部７０４，７０５には、上方に延びるようにベルト部材７０６，７０７が設けられている。ベルト部材７０６，７０７には、ベルト部材７０６，７０７の長さを調節するための調節バックル７１０，７１１取付けられ、ベルト部材７０６，７０７の先端部分には、オス型バックル７０８，７０９が連結されている。
【００４２】
また、ベルト部材７０６，７０７は、股間部保持部材７２０において交差するように設けられ、腹部保持部材７２５の先端領域にまで達するように配置されている。
【００４３】
なお、背面保持部材７０１、側部保持部材７０２，７０３、および延長部７０４，７０５の内面部分には、赤ちゃん２０００が接する領域であるため、通気性のあるクッション部材が設けられている。
【００４４】
図１１を参照して、背面保持部材７０１の外面部には、袋状部材７６０が設けられている。袋状部材７６０の上部は、開放状態となるように取付けられている。背面保持部材７０１と袋状部材７６０との間によって形成される空間７６０ａには、後述する帯状支持部材７５１が収納可能とされている。また、袋状部材７６０の外側には、リング状部材７６１，７６２がそれぞれ設けられている。
【００４５】
再び、図１０を参照して、股間部保持部材７２０は、赤ちゃん２０００の股部の形状に沿うように両側が、内側に切り込まれた曲面領域７２１，７２２が形成され、この曲面領域７２１，７２２を埋めるように、補助パッド部材７２３，７２４が設けられている。なお、股間部保持部材７２０の内面部分は、赤ちゃん２０００が接する領域であるため、通気性のあるクッション部材が設けられている。
【００４６】
また、補助パッド部材７２３，７２４は、赤ちゃん２０００の股部へのパッド部材の当接を和らげるとともに、前向きおよび後向きのどちらの状態でも（図２および図３に示す状態）、赤ちゃん２０００の股部に与える不快感を解消することを目的としていることから、股間部保持部材７２０の内面部分に設けられるクッション部材よりも柔らかいクッション部材が設けられていることが好ましく、また、縫い目を、赤ちゃん２０００の股部には当接しない位置に配置することが好ましい。
【００４７】
また、図１１を参照して、股間部保持部材７２０の外面部には、股間部保持部材７２０との間に通過領域を形成するようにループ７７０が取付けられている。
【００４８】
再び、図１０を参照して、腹部保持部材７２５の先端部分には、横方向に延びる貫通路７２９が設けられ、この貫通路７２９の内部には、先端側ベルト７３０が配置され、この先端側ベルト７３０の両側には、ベルトの長さを調節するための調節バックル７３３，７３４が設けられ、また、先端部分には、フック部材７３１，７３２が設けられている。
【００４９】
また、腹部保持部材７２５の中央領域には、横方向に延びるように腹部ベルト７２６が取付けられ、この腹部ベルト７２６の一端にはオス型バックル７２７が設けられ、他端にはメス型バックル７２８が設けられている。
【００５０】
上述したように、ベルト部材７０６，７０７は、腹部保持部材７２５の先端領域にまで達するように配置されているが、赤ちゃんの荷重を効果的に分散させる観点から、領域Ｘ１０，Ｘ１１において、ベルト部材７０６，７０７と腹部ベルト７２６とが連結するように取付けられ、また、領域Ｘ１２，Ｘ１３において、ベルト部材７０６，７０７と先端側ベルト７３０とが連結するように取付けられている。
【００５１】
なお、腹部保持部材７２５の内面部分は、赤ちゃん２０００が接する領域であるため、通気性のあるクッション部材が設けられている。
【００５２】
図１０〜図１２を参照して、背中部保持部材７４０は芯材としての赤ちゃん用パッド部材７４２ａ，７４２ｂを備え、上部パッド部材７４２ａに対して、下部パッド部材７４２ｂは、内側（後述する帯状支持部材７５１が設けられる側とは反対側）に向けて屈曲するように取付けられている。赤ちゃん用パッド部材７４２ａ，７４２ｂの表面は、通気性のあるクッション部材７４１で覆われている。
【００５３】
また、背中部保持部材７４０の上部両側には、左右方向に張出す側壁パッド７４１，７４２が設けられ、背中部保持部材７４０および側壁パッド７４１，７４２の上部側には、頭部保護パッド７５０が設けられている。さらに、側壁パッド７４１，７４２の両側端部には、ベルト部材７０６を通過させて支持するための第１支持ループ７４３、およびベルト部材７０７を通過させて支持するための第２支持ループ７４４が設けられている。
【００５４】
頭部保護パッド７５０、第１支持ループ７４３、および第２支持ループ７４４は、柔軟なクッション部材から構成されている。また、頭部保護パッド７５０は、図１２に示すように、内側に向く位置と、図１３に示すように、外側に向く位置とが選択可能に設けられている。
【００５５】
背中部保持部材７４０は、背面保持部材７０１と袋状部材７６０との間に設けられた空間７６０ａ内に、下部パッド部材７４２ｂが収容可能に設けられ、背面保持部材７０１と下部パッド部材７４２ｂとの間には、面ファスナ７６１ａ，７６１ｂが設けられることにより、背面保持部材７０１と下部パッド部材７４２ｂとの着脱が可能に設けられている。
【００５６】
背中部保持部材７４０の外側には、図１１に示すように、背中部保持部材７４０の上端部から股間部保持部材７２０にかけて帯状支持部材７５１が設けられている。帯状支持部材７５１は、その上端部のみが背中部保持部材７４０に固定されている。また、図１２に示すように、赤ちゃん用パッド部材７４２ａの外側に位置する領域においては、使用者であるお母さん１０００の手を挿入することができるように、空間７５１Ｈが形成されるように、帯状支持部材７５１が背中部保持部材７４０に取付けられている。
【００５７】
帯状支持部材７５１の下方先端部分には、ベルト７５２が取付けられ、このベルト７５２の先端部分には、ベルト７５２の長さ調節が可能なフック部材７５３が設けられている。
【００５８】
また、この帯状支持部材７５１の不使用時には、図１３に示すように、背面保持部材７０１と袋状部材７６０との間に設けられた空間７６０ａ内に収容可能に形成されている。
【００５９】
（使用者装着部材５００と赤ちゃん保持部材７００との結合関係）
次に、再び図１から図５を参照して、各使用形態における使用者装着部材５００と赤ちゃん保持部材７００との結合関係について説明する。
【００６０】
上述したように、本実施の形態における子守帯１Ｂの特徴的構成としては、使用者装着部材５００と赤ちゃん保持部材７００との結合関係を選択することにより、図１に示す、使用者であるお母さん１０００の前面において、赤ちゃん２０００を横抱きすることができる状態と、図２に示す、お母さん１０００の前面において、赤ちゃん２０００を縦抱きすることができる状態（対面状態）と、図３に示す、お母さん１０００の前面において、赤ちゃん保持部材７００の上半身領域を取外し、赤ちゃん２０００を前向きの縦抱きにすることができる状態と、図４に示す、お母さん１０００の背面において、赤ちゃん２０００を縦抱きすることができる状態（赤ちゃんは前向き）と、図５に示す、お母さん１０００の背面において、赤ちゃん保持部材７００の上半身領域を取外し、赤ちゃん２０００を後向きの縦抱きにすることができる状態とを選択することができる点にある。
【００６１】
（横抱き連結状態）
まず、図１を参照して、赤ちゃん保持部材７００により、赤ちゃんを寝かせた状態で抱っこするための横抱き状態を可能にするための第１連結手段について説明する。
【００６２】
横抱き状態を可能にするためには、使用者装着部材５００の肩ベルト６０２に設けられたメス型バックル６１６に、ベルト部材７０７のオス型バックル７０９を連結させる。このとき、第２支持ループ７４４にベルト部材７０７を通過させる。同様に、肩ベルト６０３に設けられたメス型バックル６１７に、ベルト部材７０６のオス型バックル７０８を連結させる。このとき、第１支持ループ７４３にベルト部材７０６を通過させる。
【００６３】
また、赤ちゃん保持部材７００に設けられた帯状支持部材７５１を赤ちゃん２０００の股部を通過させるとともに、帯状支持部材７５１の先端部に設けられたベルト７５２をループ７７０を通して、ベルト７５２の先端に設けられたフック部材７５３を、肩ベルト６０２に設けられたリングバックル６１８に係合させる。
【００６４】
なお、メス型バックル６１６とオス型バックル７０９、およびメス型バックル６１７とオス型バックル７０８により、横抱上部連結手段を構成し、フック部材７５３とリングバックル６１８とにより、横抱下部連結手段を構成する。
【００６５】
また、赤ちゃん２０００の下腹部を保護するために、腹部保持部材７２５に設けられた先端側ベルト７３０に取付けられたフック部材７３２を、リング状部材７６２に係合させる。図示していないが、先端側ベルト７３０に取付けられたフック部材７３１についても、リング状部材７６１に係合させる。
【００６６】
なお、この状態では、使用者装着部材５００の腰ベルト６０１の両先端部に設けられたオス型バックル６１２とメス型バックル６１３と連結させることにより、腰ベルト６０１のお母さん１０００への腰部領域への安定的な装着が実現される。
【００６７】
なお、図１に示す状態は、赤ちゃん２０００の頭がお母さん１０００の左腕側に位置する場合を示しているが、赤ちゃん２０００の頭がお母さん１０００の右腕側に位置する場合にも、同様の結合状態を採用することにより実現することが可能である。
【００６８】
以上、この横抱き状態においては、赤ちゃん２０００の頭部側を２点で支持し、また、頭部側から股部を通過する帯状支持部材７５１により、赤ちゃん２０００の背面部を全体的に覆うようにして支持する、３点支持構造を採用していることから、赤ちゃん２０００の横抱き状態を安定させることが可能になる。
【００６９】
また、赤ちゃんの側部に、ベルト部材７０７により支持される第２支持ループ７４４と、ベルト部材７０６により支持される第１支持ループ７４３が配置されることになるため、赤ちゃんの側部において第１支持ループ７４３および第２支持ループ７４４による壁が形成され、赤ちゃんの側部を確実に保護することが可能になる。その結果、頭部の振れを防止し、赤ちゃんの頭部の保護を十分に行なうことのできる構造を有する子守帯を提供することが可能になる。
【００７０】
（前面縦抱き連結状態）
次に、図２を参照して、赤ちゃん保持部材７００により、赤ちゃん２０００をお母さん１０００の前面において縦抱き状態を可能にするための第２連結手段について説明する。
【００７１】
前面縦抱き状態を可能にするためには、使用者装着部材５００の肩ベルト６０２に設けられたメス型バックル６１６に、ベルト部材７０７のオス型バックル７０９を連結させる。このとき、第２支持ループ７４４にベルト部材７０７を通過させる。同様に、肩ベルト６０３に設けられたメス型バックル６１７に、ベルト部材７０６のオス型バックル７０８を連結させる。このとき、第１支持ループ７４３にベルト部材７０６を通過させる。
【００７２】
また、図１４の断面図に示すように、使用者装着部材５００の腰ベルト６０１の先端部に設けられたオス型バックル６１２に赤ちゃん保持部材７００の腹部保持部材７２５に設けられた腹部ベルト７２６のオス型バックル７２７を連結させる。同様に、腰ベルト６０１の先端部に設けられたメス型バックル６１３に赤ちゃん保持部材７００の腹部保持部材７２５に設けられた腹部ベルト７２６のメス型バックル７２８を連結させる。
【００７３】
なお、メス型バックル６１６とオス型バックル７０９、およびメス型バックル６１７とオス型バックル７０８により、縦抱上部連結手段を構成し、オス型バックル６１２とオス型バックル７２７、および、メス型バックル６１３とメス型バックル７２８とにより、縦抱下部連結手段を構成する。
【００７４】
また、赤ちゃん２０００の下腹部を保護するために、腹部保持部材７２５に設けられた先端側ベルト７３０に取付けられたフック部材７３２を、リング状部材７６２に係合させる。図示していないが、先端側ベルト７３０に取付けられたフック部材７３１についても、リング状部材７６１に係合させる。
【００７５】
この縦抱き状態においては、赤ちゃん２０００の頭部側を２点で支持し、赤ちゃん２０００の腹部側面を２点で支持し、さらに赤ちゃん２０００の股部を１点で支持する５点支持構造を採用していることから、赤ちゃん２０００の縦抱き状態を安定させることが可能になる。
【００７６】
また、赤ちゃんの側部に、ベルト部材７０７により支持される第２支持ループ７４４と、ベルト部材７０６により支持される第１支持ループ７４３が配置されることになるため、赤ちゃんの側部において第１支持ループ７４３および第２支持ループ７４４による壁が形成され、赤ちゃんの側部を確実に保護することが可能になる。その結果、頭部の振れを防止し、赤ちゃんの頭部の保護を十分に行なうことのできる構造を有する子守帯を提供することが可能になる。
【００７７】
また、使用者装着部材５００に赤ちゃん保持部材７００を連結させた場合、使用者の腹部領域には腰ベルト６００が位置せずに、赤ちゃん保持部材７００の腹部保持部材７２５に設けられた先端側ベルト７３０のみが位置することになる。これにより、お母さん１０００と赤ちゃん２０００との距離が近くなり、お母さん１０００と赤ちゃん２０００との密着感を高めることが可能になる。その結果、赤ちゃん２０００は、より近くにお母さん１０００を感じることができ、赤ちゃん２０００の発育段階、生理特性を満足させることが可能になる。
【００７８】
また、よりお母さん１０００の近くで赤ちゃん２０００を保持できることから、バランス良く赤ちゃん２０００の荷重を受けることにより、お母さん１０００への負担の軽減を図りながら、赤ちゃん２０００の保持の安全性および快適性を損なうことなく、お母さん１０００に対する装着性能の向上を図ることを可能としている。
【００７９】
さらに、使用者装着部材５００の腰ベルト６００の構造の簡略化が図られ、ファッション性を高めた子守帯を提供することを可能とする。
【００８０】
また、赤ちゃん保持部材７００の背中部保持部材７４０の背面側には、帯状支持部材７５１により空間７５１Ｈが形成されていることから、お母さん１０００の手をこの空間７５１Ｈに挿入して沿えることができるため、さらに安定した状態で、赤ちゃん２０００を保持することが可能となる。
【００８１】
なお、赤ちゃん２００が成長して首および腰が座り、赤ちゃん２０００を自立させておくことに対して医学的な問題が生じない場合は、図３に示すように、背中部保持部材７４０を赤ちゃん保持部材７００から取外すことにより、赤ちゃん２０００を前向きにして縦抱っこをすることが可能になる。
【００８２】
（背面縦抱き連結状態）
次に、図４を参照して、赤ちゃん保持部材７００により、赤ちゃん２０００をお母さん１０００の背面において縦抱き状態を可能にするための第３連結手段について説明する。
【００８３】
背面縦抱き連結状態を可能にするためには、使用者装着部材５００の肩ベルト６０２に設けられたメス型バックル６１６に、ベルト部材７０６のオス型バックル７０８を連結させる。このとき、ベルト部材７０６を第１肩ベルト部材５０５に設けられた第１ループ領域５０７ａに通過させる。また、使用者装着部材５００の肩ベルト６０３に設けられたメス型バックル６１７に、ベルト部材７０７のオス型バックル７０９を連結させる。このとき、ベルト部材７０７を第２肩ベルト部材５０６に設けられた第２ループ領域５０８ａに通過させる。
【００８４】
また、使用者装着部材５００の腰ベルト６０１の背面側に設けられたオス型バックル６５１に赤ちゃん保持部材７００の腹部保持部材７２５に設けられた腹部ベルト７２６のオス型バックル７２７を連結させる。同様に、腰ベルト６０１の背面側に設けられたメス型バックル６５２に赤ちゃん保持部材７００の腹部保持部材７２５に設けられた腹部ベルト７２６のメス型バックル７２８を連結させる。
【００８５】
なお、メス型バックル６１６とオス型バックル７０８、およびメス型バックル６１７とオス型バックル７０９により、縦抱上部連結手段を構成し、オス型バックル６５１とオス型バックル７２７、およびメス型バックル６５２とメス型バックル７２８とにより、縦抱下部連結手段を構成する。
【００８６】
また、赤ちゃん２０００の下腹部を保護するために、腹部保持部材７２５に設けられた先端側ベルト７３０に取付けられたフック部材７３２を、リング状部材７６２に係合させる。図示していないが、先端側ベルト７３０に取付けられたフック部材７３１についても、リング状部材７６１に係合させる。
【００８７】
この縦抱き状態においては、赤ちゃん２０００の頭部側を２点で支持し、赤ちゃん２０００の腹部側面を２点で支持し、さらに赤ちゃん２０００の股部を１点で支持する５点支持構造を採用していることから、赤ちゃん２０００の縦抱き状態を安定させることが可能になる。
【００８８】
また、赤ちゃんの側部に、ベルト部材７０７により支持される第２支持ループ７４４と、ベルト部材７０６により支持される第１支持ループ７４３が配置されることになるため、赤ちゃんの側部において第１支持ループ７４３および第２支持ループ７４４による壁が形成され、赤ちゃんの側部を確実に保護することが可能になる。その結果、頭部の振れを防止し、赤ちゃんの頭部の保護を十分に行なうことのできる構造を有する子守帯を提供することが可能になる。
【００８９】
なお、赤ちゃん２０００が成長して首および腰が座り、赤ちゃん２０００を自立させておくことに対して医学的な問題が生じない場合は、図５に示すように、背中部保持部材７４０を赤ちゃん保持部材７００から取外すことにより、赤ちゃん２０００を後向きにして縦抱っこをすることが可能になる。
【００９０】
以上、本実施の形態における子守帯１Ｂにおいては、子守帯１Ｂの使用に際して、横抱き状態、前面縦抱き状態および背面縦抱き状態での使用が可能となるため、子守帯１Ｂの使用に際して、新生児期からの使用が可能になる。
【００９１】
連結部分において、オス型バックル、メス型バックルを使用しているが、両者を入換えて使用することも可能である。また、オスメス両性のバックルを使用することも可能である。
【００９２】
また、上記実施の形態における使用者として、お母さんの場合について説明したが、その他お父さんや、他の保護者や保育者であっても構わない。
【００９３】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００９４】
【発明の効果】
この発明に基いた子守帯によれば、子守帯の使用に際して、横抱き状態、前面縦抱き状態および背面縦抱き状態での使用が可能となるため、子守帯の使用に際して、新生児期から一貫した使用が可能になり、親と子供のスキンシップを十分図ることが可能になる。
【００９５】
また、子守部材として衣服形態を備えることにより、子守部材のファッション性の向上が図られ、子守部材の装着時における違和感を軽減することが可能になる。
【図面の簡単な説明】
【図１】この発明に基いた実施の形態における子守帯１Ｂを用いて、お母さん１０００の前面において、赤ちゃん２０００を横抱きすることができる状態を示す図である。
【図２】この発明に基いた実施の形態における子守帯１Ｂを用いて、お母さん１０００の前面において、赤ちゃん２０００を縦抱きすることができる状態を示す第１の図である。
【図３】この発明に基いた実施の形態における子守帯１Ｂを用いて、お母さん１０００の前面において、赤ちゃん２０００を縦抱きすることができる状態を示す第２の図である。
【図４】この発明に基いた実施の形態における子守帯１Ｂを用いて、お母さん１０００の背面において、赤ちゃん２０００を縦抱きすることができる状態を示す第１の図である。
【図５】この発明に基いた実施の形態における子守帯１Ｂを用いて、お母さん１０００の背面において、赤ちゃん２０００を縦抱きすることができる状態を示す第２の図である。
【図６】この発明に基いた実施の形態における子守帯１Ｂの使用者装着部材５００を開いた状態での正面図である。
【図７】この発明に基いた実施の形態における子守帯１Ｂの使用者装着部材５００を開いた状態での背面図である。
【図８】この発明に基いた実施の形態における子守帯１Ｂの使用者装着部材５００を閉じた状態での正面図である。
【図９】この発明に基いた実施の形態における子守帯１Ｂのベルト部材のみを現したベルト展開図である。
【図１０】この発明に基いた実施の形態における子守帯１Ｂの赤ちゃん保持部材７００を内面側から見た平面図である。
【図１１】この発明に基いた実施の形態における子守帯１Ｂの赤ちゃん保持部材７００を外面側から見た背面図である。
【図１２】図１０中ＸＩＩ−ＸＩＩ線矢視にしたがった第１断面図である。
【図１３】図１０中ＸＩＩ−ＸＩＩ線矢視にしたがった第２断面図である。
【図１４】この発明に基いた実施の形態における子守帯１Ｂの前面縦抱き連結状態を模式的に示す断面図である。
【符号の説明】
１Ｂ  子守帯、５００  使用者装着部材、５０１  使用者用背中部材、５０３，５０４  腰ベルト部材、５０５  第１肩ベルト部材、５０５ａ  凸部パッド領域、５０６  第２肩ベルト部材、５０６ａ  凸部パッド領域、５０７  帯状部材、５０７ａ  第１ループ領域、５０８  帯状部材、５０８ａ  第２ループ領域、６００  ベルト部材、６０１  腰ベルト、６０２  第１肩ベルト、６０３  第２肩ベルト、６０５  第１延長ベルト、６０６  第２延長ベルト、６０４  連結ベルト、６１２，６５１，７０８，７０９，７２８  オス型バックル、６１３，６１６，６１７，６５２，７２７  メス型バックル、６１４，６１５，６２０，６２１，７３３，７３４  調節バックル、６１８，６１９  リングバックル、７００  赤ちゃん保持部材、７０１  背面保持部材、７０２，７０３  側部保持部材、７０４，７０５  延長部、７０６，７０７  ベルト部材、７２０  股間部保持部材、７２１，７２２  曲面領域、７２３，７２４  補助パッド部材、７２５  腹部保持部材、７２６  腹部ベルト、７２９  貫通路、７３０  先端側ベルト、７３１，７３２  フック部材、７４０  背中部保持部材、７４２ａ  上部パッド部材、７４２ｂ  下部パッド部材、７４１，７４２  側壁パッド、７４３  第１支持ループ、７４４  第２支持ループ、７５０  頭部保護パッド、７５１  帯状支持部材、７５１Ｈ  空間、７５２  ベルト、７５３  フック部材、７６０  袋状部材、７６０ａ  空間、７６１，７６２  リング状部材、７６１ａ，７６１ｂ面ファスナ、７７０  ループ、１０００  お母さん、２０００  赤ちゃん。
【図１】
2004236736.tif 000003
【図２】
2004236736.tif 000004
【図３】
2004236736.tif 000005
【図４】
2004236736.tif 000006
【図５】
2004236736.tif 000007
【図６】
2004236736.tif 000008
【図７】
2004236736.tif 000009
【図８】
2004236736.tif 000010
【図９】
2004236736.tif 000011
【図１０】
2004236736.tif 000012
【図１１】
2004236736.tif 000013
【図１２】
2004236736.tif 000014
【図１３】
2004236736.tif 000015
【図１４】
2004236736.tif 000016